(57)【特許請求の範囲】
【請求項１】
入金された循環硬貨を収納し、出金時に放出するよう構成されたホッパと；
入金された非循環硬貨を回収する金庫部と；
前記ホッパと前記金庫部とを収納する収納室と；
前記収納室を塞ぐ扉と；
前記扉を施錠する施錠機構とを備え；
前記施錠機構の施錠を外して前記扉を開け、前記ホッパと前記金庫部とが前記収納室から着脱可能であるよう構成され；
前記収納室が、前記扉の施錠を前記施錠機構により維持したまま、前記硬貨処理装置から着脱可能であるよう構成された；
硬貨処理装置。
【請求項２】
前記ホッパから放出された循環硬貨を導く出金シュートを備え；
前記収納室が、接客壁と該接客壁に対向する裏壁とを有し；
前記ホッパが、前記循環硬貨を放出する放出口を、前記接客壁と前記裏壁間の中央面を向く方向に有し；
前記出金シュートを、前記接客壁と前記裏壁間の略中央を鉛直下方向に通るよう配置した；
請求項１に記載の硬貨処理装置。
【請求項３】
前記ホッパが、前記循環硬貨を収納する収納ケースを有し；
前記収納ケースの容積を、入金される硬貨の量の多少に従って異なったものとする；
請求項１または請求項２に記載の硬貨処理装置。
【請求項４】
入金された硬貨の少なくとも金種を識別する識別部と；
前記識別部によって識別された硬貨のうち、割り当てられた所定の金種の硬貨を振り分ける振分爪を有する振分部と；
前記振分爪に割り当てる金種を設定する制御部とを備え；
前記制御部が、前記設定の変更が可能であるよう構成された；
請求項１乃至請求項３のいずれか１項に記載の硬貨処理装置。
【発明の詳細な説明】
【０００１】
【発明の属する技術分野】
本発明は、硬貨を処理する循環式の硬貨処理装置に関し、特に自動販売機や、コンビニエンスストア、銀行等の金融端末機等で用いられる循環式の硬貨処理装置に関するものである。
【０００２】
【従来の技術】
銀行等の金融機関においては、入金及び出金の両処理を行うことができ、入金された硬貨を収納し、さらに循環させて出金硬貨として再利用することのできる循環式の硬貨処理装置が広く用いられている。また、最近では、銀行以外の金融機関において、例えばコンビニエンスストアなどにおいても金融端末機が設置されつつある。金融端末機に内蔵される硬貨処理装置には、出金硬貨を準備する作業が必要である。この作業は今まで、装置に精通した係員により行われていた。
【０００３】
【発明が解決しようとする課題】
しかし、コンビニエンスストアなどに設置される金融端末機については、この準備作業を管理会社に委託することが多く、例えば日毎など、決められた回数の準備が行われていた。そのため、装置の取引状態によっては、出金が入金より多くなり準備金が不足し、出金硬貨を準備する作業が間に合わなくなり装置を停止せざるをえず、さらに管理会社の係員が到着するのに時間がかかり停止する時間が長くなることがあった。
【０００４】
その対策として、装置内の硬貨を回収する回収カセットと、準備金としての硬貨を補充する補充カセットとを収納する場所を硬貨処理装置内に設けて、管理会社の係員でない者、例えばコンビニエンスストアの従業員等が適宜補充作業を行っていた。
【０００５】
また、入金より出金が多くなった場合の準備金不足に確実に対処するため、準備金としての硬貨の収納枚数をさらに多くすることが強く要望されていた。これに対処するために、収納／出金部(その収納ケース)を大きくすれば準備金は増える。しかし、コンビニエンスストア等に設置する金融端末機としては、スペースが限られ、外観上違和感がないようにするため小型化が強く要望されていて、大型化につながる対処はできなくなりつつある。
【０００６】
そこで、硬貨の回収、補充作業を容易としたままで、硬貨の収納性をよくし、硬貨の管理の安全性を高め、かつ小型化された硬貨処理装置を提供することを目的とする。
【０００７】
【課題を解決するための手段】
上記目的を達成するために、第１の態様に係る発明による硬貨処理装置１は、例えば図４に示すように、入金された循環硬貨を収納し、出金時に放出するよう構成されたホッパ１０４Ａ〜Ｄと；入金された非循環硬貨を回収する金庫部１１６と；ホッパ１０４Ａ〜Ｄと金庫部１１６とを収納する収納室８と；収納室８を塞ぐ扉９と；扉９を施錠する施錠機構１０とを備え；施錠機構１０の施錠を外して扉９を開け、ホッパ１０４Ａ〜Ｄと金庫部１１６とが収納室８から着脱可能であるよう構成される。
【０００８】
このように構成すると、ホッパ１０４Ａ〜Ｄと金庫部１１６とを収納する収納室８と、扉９と、施錠機構１０と備え、施錠機構１０の施錠を外して扉９を開け、ホッパ１０４Ａ〜Ｄと金庫部１１６とが収納室８から着脱可能であるよう構成されるので、準備段階で補充すべき循環硬貨をホッパ１０４Ａ〜Ｄに補充してホッパ１０４Ａ〜Ｄを補充カセットとして使用し、装置の運転終了後に回収すべき非循環硬貨を金庫部１１６に回収し、金庫部１１６を回収カセットとして使用することができ、硬貨の回収、補充作業を容易なものとすることができる。
【０００９】
また、硬貨を補充するためだけの補充カセット、硬貨を回収するためだけの回収カセットが不要となるので、装置を小型化することができる。また、収納室８を塞ぐ扉９を施錠機構１０によって施錠することができるので、収納室８内のホッパ１０４Ａ〜Ｄに収納され、収納室８内の金庫部１１６に回収された硬貨を安全に保管することができ硬貨管理を確実に行うことができる。
【００１０】
また、ホッパ１０４Ａ〜Ｄに収納されている硬貨を装置の運転終了後に回収できるので、ホッパ１０４Ａ〜Ｄを補充カセットとしてだけでなく、回収カセットとしても使用することができ、よって非循環硬貨を回収する金庫部１１６を小さくすることができ、装置の小型化が計れる。さらに補充カセットからホッパ１０４Ａ〜Ｄへ硬貨を放出するための補充機構や、ホッパ１０４Ａ〜Ｄから回収カセットへ硬貨を放出するための回収機構や、ホッパ１０４Ａ〜Ｄから硬貨を搬出する搬出シュートなどを設けるため等のスペースが必要なくなり、装置を小型化することができる。なお、着脱可能とは取り付け、取り外しが可能なことをいう。
【００１１】
第２の態様に係る発明による硬貨処理装置は、例えば図４に示すように、第１の態様の硬貨処理装置１において、収納室８が、扉９の施錠を施錠機構１０により維持したまま、前記硬貨処理装置１から着脱可能であるよう構成される。
【００１２】
収納室８が、扉９の施錠を施錠機構１０により維持したまま、硬貨処理装置１から着脱可能であるよう構成されるので、ホッパ１０４Ａ〜Ｄと金庫部１１６とを収納し、扉９の施錠が維持された収納室８を、安全な場所に移し、ホッパ１０４Ａ〜Ｄ、金庫部１１６からの硬貨の回収、ホッパ１０４Ａ〜Ｄへの硬貨の補充を安全に行うことができ、確実な硬貨管理を行うことができる。
【００１３】
例えば、硬貨処理装置１、１台に対し同じ仕様の収納室８が２つあれば、硬貨処理装置１が設置された現場では収納室８の交換のみを行うようにし、装置に精通していない係員でも対応することができる。また、準備金のホッパ１０４Ａ〜Ｄへの収納作業や、硬貨の金庫部１１６、ホッパ１０４Ａ〜Ｄからの回収作業を現場とは別の安全な場所でまとめて行うことができ、硬貨管理がし易くなる。
【００１４】
第３の態様に係る発明による硬貨処理装置は、第１の態様または第２の態様の硬貨処理装置１において、例えば図４に示すように、ホッパ１０４Ａ〜Ｄから放出された循環硬貨を導く出金シュート１１３を備え；収納室８が、接客壁１０１Ａと該接客壁１０１Ａに対向する裏壁１０１Ｂとを有し；ホッパ１０４Ａ〜Ｄが、前記循環硬貨を放出する放出口１２６Ａ〜Ｄを、接客壁１０１Ａと裏壁１０１Ｂ間の中央面１０５を向く方向に有し；出金シュート１１３を、前記接客壁１０１Ａと裏壁１０１Ｂ間の略中央を鉛直下方向に通るよう配置した。
【００１５】
このように構成すると、ホッパ１０４Ａ〜Ｄが、放出口１２６Ａ〜Ｄを、接客壁１０１Ａと裏壁１０１Ｂ間の中央面１０５を向く方向に有し、出金シュート１１３を、接客壁１０１Ａと裏壁１０１Ｂ間の略中央を鉛直下方向に通るよう配置したので、放出口１２６Ａ〜Ｄと出金シュート１１３とをシュートにて連結する場合は、当該シュートが短ルートを通るようにし、当該シュートを整然と配置することができるので、装置をさらに小型化することができる。接客壁１０１Ａと裏壁１０１Ｂ間の中央面１０５とは、接客壁１０１Ａと裏壁１０１Ｂ間に位置する仮想上の面であって、接客壁１０１Ａと裏壁１０１Ｂとから略等間隔にある面をいう。
【００１６】
第４の態様に係る発明による硬貨処理装置は、第１の態様乃第３の態様のいずれか１の態様の硬貨処理装置１において、例えば図４に示すように、ホッパ１０４Ａ〜Ｄが、前記循環硬貨を収納する収納ケース１２１Ａ〜Ｄを有し；収納ケース１２１Ａ〜Ｄの容積を、入金される硬貨の量の多少に従って異なったものとする。
【００１７】
このように構成すると、ホッパ１０４Ａ〜Ｄの収納ケース１２１Ａ〜Ｄの容積を、入金される硬貨の量の多少に従って異なったものとするので、硬貨処理装置１の設置場所や、ユーザなどの設置環境によって決まる、入金される硬貨の量を例えば統計的に求め、求められた硬貨の入金量の多少に従って、各金種のホッパ１０４Ａ〜Ｄの収納ケース１２１Ａ〜Ｄの容積を決めることができる。よって、装置のスペースを有効に利用することができ、硬貨処理装置１をさらに小型化することができる。
【００１８】
第５の態様に係る発明による硬貨処理装置は、第１の態様乃至第４の態様のいずれか１の態様の硬貨処理装置において、例えば図４に示すように、入金された硬貨の少なくとも金種を識別する識別部１３と；識別部１３によって識別された硬貨のうち、割り当てられた所定の金種の硬貨を振り分ける振分爪６０Ａ〜Ｅを有する振分部１４と；振分爪６０Ａ〜Ｅに割り当てる金種を設定する制御部７とを備え；制御部７が、前記設定の変更が可能であるよう構成される。
【００１９】
このように構成すると、制御部７が、振分爪６０Ａ〜Ｅに割り当てる金種の設定の変更が可能であるので、硬貨処理装置１の設置場所や、ユーザなどの設置環境によって変わる入金量を例えば統計的に求め、求められた入金量の大小に従って当該金種の設定の変更が可能である。したがって、設置場所や、設置環境に適した当該金種の設定とすることができる。設置場所や設置環境に適した、制御部７の設定の変更は、プログラムの変更にて行うようにするとよい。
【００２０】
【発明の実施の形態】
以下、本発明の実施の形態について、図面を参照して説明する。なお、各図において互いに同一あるいは相当する部材には同一符号を付し、重複した説明は省略する。
【００２１】
図１、図２は、本発明の実施の形態に係る硬貨処理装置１の主要構成を示すブロック図である。図３は、硬貨処理装置１の後述のフレーム８の主要構成を示すブロック図である。
【００２２】
図１を参照して、硬貨処理装置１の主要構成を説明する。硬貨処理装置１は、投入された硬貨の入金処理を行う入金処理部２と、処理された硬貨を収納し、釣銭として出金する収納／出金部３と、収納／出金部３を収納する収納室としてのフレーム８と、フレーム８がセットされる収納／出金部ベース４と、フレーム８がセットされた収納／出金部ベース４を取り付けることができ、当該収納／出金部ベース４を水平方向に移動するようにガイドするガイドレール５と、収納／出金部ベース４をガイドレール５にロックするロック機構６（図４参照）と、後述の各部の制御を行う制御部７とを含んで構成される。
【００２３】
なお、図２に示すように、フレーム８は、ガイドレール５に収納／出金ベース４がセットされた状態で、入金処理部２と制御部７から水平方向（Ｚ方向）に移動が可能であり、不図示の端末機のガイドレールに固定された硬貨処理装置１から着脱可能である。
【００２４】
図３に示すように、フレーム８は、水平方向断面形状が略矩形の略箱形形状を有する。矩形断面は短辺と長辺からなり、フレーム８は、一方の短辺を含む第１接客壁１０１Ａと、一方の短辺に対向する他方の短辺を含む第１裏壁１０１Ｂと、長辺を含むフレーム側壁１０７とを含んで構成される。なお、第１接客壁１０１Ａは、硬貨処理装置１が内蔵される不図示の端末機の接客面の近傍に配置される。以下、第１接客壁１０１Ａと第１裏壁１０１Ｂ間の長さを奥行きと称し、フレーム側壁１０７間の長さを幅と称する。第１接客壁１０１Ａと第１裏壁１０１Ｂ間に位置する仮想上の面であって、第１接客壁１０１Ａと第１裏壁１０１Ｂとから略等間隔にある面を、第１接客壁１０１Ａと第１裏壁１０１Ｂ間の中央面１０５（図中、２点鎖線にて表示）とする。
【００２５】
図４は、本発明の実施の形態に係る硬貨処理装置１の側面断面図である。図５は、後述のガイドシュート１６の部分拡大図である。図４、図５を参照して硬貨処理装置１の詳細な構成を説明する。
【００２６】
硬貨処理装置１の鉛直方向最上部に配置された入金処理部２は、利用者が硬貨を一枚ずつ入金する入金口１１と、入金口１１から入金された硬貨を第２接客壁１０６Ａ、または第２裏壁１０６Ｂに向かう方向に搬送するよう構成された搬送部１２と、搬送部１２によって搬送中の硬貨を識別する識別部１３と、識別部１３により識別された硬貨を振り分ける振分部１４と、振分部１４の下側に配置され、振分部１４により振り分けられた硬貨を導く５個の第１入金シュート１５Ａ〜Ｅと、振分部１４の硬貨の流れに対して下流側に配置され、振分部１４により振り分けられなかった硬貨を導くガイドシュート１６とを含んで構成される。
【００２７】
入金処理部２は、第１接客壁１０１Ａを鉛直上方向に延長した位置関係にある第２接客壁１０６Ａと、第２接客壁１０６Ａに対向する第２裏壁１０６Ｂと、第２接客壁１０６Ａと第２裏壁１０６Ｂとに垂直である入金処理部側壁１０３を含んで構成される。第２接客壁１０６Ａと第２裏壁１０６Ｂ間の長さが入金処理部２の奥行きであり、入金処理部側壁１０３間の長さが入金処理部２の幅である（図２参照）。
【００２８】
処理しようとする硬貨を入金する入金口１１は、硬貨処理装置１の最上部の、図４中、左側に設けられている。入金口１１は、硬貨処理装置１を内蔵する図示しない端末機の投入口から利用者が投入した硬貨を、硬貨処理装置１内に入金するようになっている。入金口１１から入金された硬貨を一枚ずつ搬送する搬送部１２は、第１〜第６搬送部３１〜３６から構成される。第１搬送部３１は、プーリに掛けられたダブルベルトである第１搬送ベルト４０を含んで構成され、第２搬送部３２は、プーリに掛けられたダブルベルトである第２搬送ベルト４４を含んで構成される。硬貨は、第１搬送ベルト４０と第２搬送ベルト４４とに挟まれて搬送される。第２搬送ベルト４４は、プーリ４１、３７に掛かり、プーリ４１とプーリ３７間で、第１搬送ベルト４０と重なる。
【００２９】
第３搬送部３３は、第２搬送部３２の硬貨の流れに対し下流側に配置され、プーリに掛けられたシングルベルトである第３搬送ベルト４６を含んで構成される。第３搬送ベルト４６は、シングルベルトであるので、図４中、破線にて示し、図４中、実線で示すダブルベルトとの区別を明確にする。プーリ４２には、第２搬送ベルト４４と、第３搬送ベルト４６とが掛かっており、第３搬送ベルト４６（シングルベルト）はプーリ４２に掛かっている部分で第２搬送ベルト４４（ダブルベルト）に挟まれている。
【００３０】
第３搬送部３３の下流側には、識別部１３が設けられ、搬送部１２によって一枚ずつ搬送中の硬貨の真偽（正貨か否か）及び金種が識別される。識別部１３の下流側には第４搬送部３４が設けられ、プーリに掛けられたシングルベルトである第４搬送ベルト４９を含んで構成される。第４搬送ベルト４９は、シングルベルトであるので、図４中、破線にて示した。
【００３１】
第４搬送部３４の下流側には、第５搬送部３５が配置され、第５搬送部３５は、プーリに掛けられたダブルベルトである第５搬送ベルト５３を含んで構成される。第２搬送部３２のプーリ４２の近傍と、第３搬送部３３と、識別部１３と、第４搬送部３４と、第５搬送部３５のプーリ４８の近傍との下側には、第２〜第５搬送ベルト４４、４６、４９、５３により搬送中の硬貨を下から支える搬送板４５が設けられている。搬送板４５は水平に配置されている。第５搬送部３５に一部重なって、その下流側には第６搬送部３６が配置されている。第６搬送部３６は、プーリに掛けられたシングルベルトである第６搬送ベルト５９を含んで構成される。第６搬送ベルト５９は、シングルベルトであるので、図４中、破線にて示した。
【００３２】
プーリ５４には、第５搬送ベルト５３と第６搬送ベルト５９が掛けられ、第１〜第４搬送部３１〜３４によって奥行き方向に搬送された硬貨が、プーリ５４の所で第５搬送ベルト５３と第６搬送ベルト５９によって挟まれて折り返され（Ｕターンされ）、さらに第６搬送ベルト５９によって奥行き方向に逆送される。
【００３３】
第６搬送ベルト５９の下側には振分部１４が配置され、振分部１４は奥行き方向に一列に並んで配置された６個の振分爪６０Ａ〜Ｆを含んで構成される。振分爪６０Ａ〜Ｆは、水平に並んで配置されている。振分爪６０Ａ〜Ｆは、符号の最後のアルファベットを用いて説明すると、図４中、右から左に順次、Ａ、Ｂ、Ｅ、Ｆ、Ｃ、Ｄと配置され、後述のように割り当てられた金種の硬貨を振り分ける。振分爪６０Ａ〜Ｆの上部表面は奥行き方向に第６搬送ベルト５９に搬送された硬貨を下から支える搬送路を形成する。
【００３４】
奥行き方向に搬送された硬貨が、前述のようにプーリ５４の所で第５搬送ベルト５３と第６搬送ベルト５９によって挟まれて折り返され、さらに奥行き方向に逆送され、識別部１３の識別結果により、識別部１３の下部に設けられた振分部１４によって振り分けられる構造としたので、奥行き方向の装置の長さを短くすることができ、装置を小型化することができる。
【００３５】
振分爪６０Ａ〜Ｅを駆動する不図示の振分爪駆動手段が、振分爪６０Ａ〜Ｅの下側であって、後述する第１入金シュート１５Ａ〜Ｅの図４中、向こう側に設けられている。また、制御部７でプログラムを組むことによって所定の金種が振分爪６０Ａ〜Ｆに割り当てられ、割り当てられた所定の金種を振り分けるように制御部７より振分爪６０Ａ〜Ｅに対応した振分爪駆動手段に駆動信号が送られ、振分爪駆動手段によって振分爪６０Ａ〜Ｅが回動される。割り当てられた所定の金種とは、本実施の形態では、振分爪６０Ａが１０円、振分爪６０Ｂが１００円、振分爪６０Ｃが１円、振分爪６０Ｄが５００円、振分爪６０Ｅが５円及び５０円である。
【００３６】
さらに不図示の振分検出手段が取り付けられ、振分検出手段は、振分爪６０Ａ〜Ｆにより形成された搬送路上を、次々に搬送されて来る硬貨が、所定の振分爪６０Ａ〜Ｆに到達する直前に、当該硬貨を検出する。制御部７は、識別部１３から送られる硬貨の金種データと、振分検出手段から送られる硬貨の検出信号を受け、所定の振分爪６０Ａ〜Ｅに対応する不図示の振分爪駆動手段に駆動信号を送り、硬貨が所定の振分爪６０Ａ〜Ｅに到達する直前に、振分爪駆動手段が当該振分爪６０Ａ〜Ｅを駆動するように制御する。
【００３７】
図４中、右から４番目の振分爪６０Ｆは、不図示の振分爪駆動手段に接続されず、真下に配置される第１入金シュートが存在せず、搬送路のみの働きをなす、ダミーの振分爪６０Ｆである。よって、振分爪６０Ｆには割り当てられた金種がない。
【００３８】
振分爪６０Ａ〜Ｆの金種の割り当ては、制御部７のプログラムを変えることにより任意に変えることができる。このようにすると、設置場所、設置環境等により準備金の必要量が変わることによる仕様変更に柔軟に対応できる。１つの振分爪６０Ａ〜Ｆに２つ以上の金種を割り当てることもでき、１つの金種を２つ以上の振分爪６０Ａ〜Ｆに割り当てることもでき、振分爪６０Ａ〜Ｆのいくつかには、金種を割り当てないようにすることもできる。
【００３９】
各振分爪６０Ａ〜Ｅの下側には、それぞれ振り分けられた硬貨を導き、後述のように放出する第１入金シュート１５Ａ〜Ｅが配置され、第１入金シュート１５Ａ〜Ｅの最上部は、振分爪６０Ａ〜Ｅに対応して奥行き方向に水平に一列に並んで配置されている。振分爪６０Ａ〜Ｅは爪状の形状を有し（振分爪Ｆも形状は同じ）、一端（図４中、振分爪６０Ａ〜Ｅの左側部）を中心に不図示の振分爪駆動手段により回動する。振分爪６０Ａ〜Ｅが回動することにより、振分爪６０Ａ〜Ｆにより形成された搬送路上を第６搬送部３６によって搬送されている硬貨が、第１入金シュート１５Ａ〜Ｅに振り分けられる。
【００４０】
第１入金シュート１５Ａ〜Ｅには、第１入金シュート１５Ａ〜Ｅの中を通過する硬貨を計数する振分計数手段６１が取り付けられている。振分計数手段６１による計数が、振り分け後に行われるため、振分ミスをも検出することができ、振分検出手段（不図示）による計数の信頼性を高めることができる。よって、振分計数手段６１を取り付けることにより、従来設けられていた入金一時保留部を省略することができ、装置を小型化することができる。なお、第１入金シュート１５Ａ〜Ｅの傾き形状は、振分計数手段６１の取付位置と、後述のホッパ１０４Ａ〜Ｄの配列、第２入金シュート１０２Ｂ、１０２Ｄ、出金シュート１１３の配置により決められる。
【００４１】
ガイドシュート１６は、振分部１４の下流側に配置され、振分爪６０Ａ〜Ｆと、奥行き方向に並んで設置されている。すなわち振分爪６０Ａ〜Ｆによって構成された搬送路上を、奥行き方向に第２接客壁１０６Ａに向かって搬送された硬貨は、振分爪６０Ａ〜Ｆによって振り分けられなければ、最終的にはガイドシュート１６に達する。ガイドシュート１６を、奥行き方向の搬送に関し、最下流部に配置したので、リジェクト硬貨を振り分ける振分爪、振分爪を駆動する振分爪駆動手段を設ける必要がなく、装置の奥行き方向の長さを短くし、装置を小型化することができる。
【００４２】
ガイドシュート１６には、第１入金シュート１５Ａ〜Ｅと同様に、ガイドシュート１６の中を通過する硬貨を計数する振分計数手段６１が取り付けられている。また、図５に示すように、ガイドシュート１６は、上側板金１６Ａと下側板金１６Ｂとにより通路を形成し、下側板金１６Ｂにはガイド部位が設けられている。ガイドシュート１６は、図５（Ｂ）において主として右から左への幅方向に移動する（移動イ）ようガイド部位を介してリジェクト硬貨をガイドする。さらに、図５（Ａ）において、右上から左下となる奥行き方向と、鉛直下方に落下する方向とを合成した、約４５度斜め下方に移動する（移動ロ）ように上側板金１６Ａを介してガイドし、リジェクト硬貨が当該方向へ方向転換するのを助ける。なお、ガイドシュート１６は、フレーム８の接客壁１０１Ａの近傍に配置した（図４参照）ので、取り付けが容易になる。
【００４３】
フレーム８は、前述のように略箱形状であり、その上部に、持ち運びのための取手１７（図３参照）が取り付けられ、さらに開口１４３を有し、開口１４３を塞ぐ扉９（図４中、二点鎖線にて表示）と、扉９に施錠を行う施錠機構１０とが取り付けられている。扉９は、フレーム８の図４中、手前側の一方のフレーム側壁１０７を構成する。このような構成としたので、フレーム８は扉９の施錠を維持した状態で、硬貨処理装置１からの着脱が可能となる。
【００４４】
開口１４３からフレーム８に収納される収納／出金部３は、２つの第２入金シュート１０２Ｂ、Ｄと、振り分けられた循環硬貨を収納し、釣銭として放出する四つのホッパ１０４Ａ〜Ｄと、ガイドシュート１６により導かれたリジェクト硬貨をさらに後述の出金口１１７に導く、リジェクトシュート１０８と、ホッパ１０４Ａ〜Ｄから放出された硬貨を後述の出金シュート１１３に導く放出シュート１０９Ａ〜Ｄと、出金シュート１１３とを含んで構成される。
【００４５】
収納／出金部３は、さらに回収爪１１４と、出金一時保留部１１５と、非循環硬貨を回収する金庫部１１６と、出金口１１７とを含んで構成される。フレーム８の出金口１１７に放出された硬貨は、フレーム８の出金口１１７に対応する箇所に形成された不図示の開口を経て、さらに硬貨処理装置１を内蔵する不図示の端末機の受皿に放出され、利用者が取り出せるようになっている。出金口１１７は、第１接客壁１０１Ａの下部に設けられている。
【００４６】
なお、循環硬貨とは、入金された後収納され、釣銭として利用者に返却する硬貨をいい、非循環硬貨とは、入金された後回収され、釣銭として利用者に返却することのない硬貨をいう。
【００４７】
第２入金シュート１０２Ｂは、収納／出金部３のほぼ中央、すなわち第１接客壁１０１Ａと第１裏壁１０１Ｂ間のほぼ中央に、第１入金シュート１５Ｂの下方に配置されている。第２入金シュート１０２Ｂは、第１入金シュート１５Ｂから送られた１００円硬貨を収納／出金部３のホッパ１０４Ｂ（後述のように下段右側に配置）に放出する。
【００４８】
第２入金シュート１０２Ｄは、フレーム８の図４中、左側の接客壁１０１Ａに鉛直下方向に沿って配置され、第１入金シュート１５Ｄから送られた５００円硬貨を収納／出金部３のホッパ１０４Ｄ（後述のように下段左側に配置）に放出する。なお、第２入金シュート１０２Ｄは、フレーム８の接客壁１０１Ａに溶接にて直付けされている。
【００４９】
リジェクトシュート１０８は、ガイドシュート１６に接続されて、ガイドシュート１６の下流側に配置され、さらに第２入金シュート１０２Ｄと幅方向に並んで配置される。リジェクトシュート１０８は、第２入金シュート１０２Ｄと同様に第１接客壁１０１Ａに直接対向して、鉛直に配置される。
【００５０】
第２入金シュート１０２Ｄの上流側に配置された第１入金シュート１５Ｄ中の硬貨の流れは、奥行き方向と鉛直下方向とが合成された斜め下方向であり、さらにその先が鉛直方向下方となっている。リジェクトシュート１０８の上流側に配置されたガイドシュート１６中の硬貨の流れを、第１入金シュート１５Ｄ中の硬貨の流れと同じとする場合は、ガイドシュート１６は、第１入金シュート１５Ｄの、貨幣の搬送方向（奥行き方向）に対して下流側にあるので、リジェクトシュート１０８は、第２入金シュート１０２Ｄと奥行き方向に並ぶ配置となり、装置の奥行き方向の長さが長くなる。
【００５１】
しかし、実際は前述のようにガイドシュート１６中の硬貨の流れが、第２接客壁１０６Ａに沿って幅方向に流れる部分を含むように構成されているので、リジェクトシュート１０８を第２入金シュート１０２Ｄに幅方向に並んで配置させることができ、この配置により装置の奥行き方向の長さを短くすることができる。
【００５２】
リジェクト硬貨を出金口１１７に導くリジェクトシュート１０８を、フレーム８の第１接客壁１０１Ａに鉛直方向下方に沿うように配置し、出金口１１７を第１接客壁１０１Ａの下部に設けたので、リジェクトシュート１０８を流れるリジェクト硬貨の流れを鉛直方向下方のみとし、リジェクト硬貨を出金口１１７に放出することができる。よって、リジェクトシュート１０８内での、硬貨の詰まりが殆ど生じないようにすることができる。
【００５３】
なお、リジェクトシュート１０８は、図４中向こう側、第２入金シュート１０２Ｄは、リジェクトシュート１０８に対し、図４中幅方向、手前側に並んで配置されている。リジェクトシュート１０８も第１接客壁１０１Ａに沿って配置したので、その取付が容易となる。なお、リジェクトシュート１０８は、フレーム８の接客壁１０１Ａに溶接にて直付けされている。
【００５４】
ホッパ１０４Ａ〜Ｄは、フレーム８内に２個ずつ上下２段に配列されている。また、各段ともホッパ１０４Ａ、Ｃ、ホッパ１０４Ｂ、Ｄは、奥行き方向に配列されている。このように配置したので、装置の奥行き方向の長さを小さくすることができ、装置を小型がすることができる。上段は、右側が１０円硬貨用のホッパ１０４Ａ、左側が１円硬貨用のホッパ１０４Ｃ、下段は、右側が１００円硬貨用のホッパ１０４Ｂ、左側が５００円硬貨用のホッパ１０４Ｄである。
【００５５】
ホッパ１０４Ａ〜Ｄは、硬貨を収納する収納ケース１２１Ａ〜Ｄと、収納ケース１２１Ａ〜Ｄに収納された硬貨を釣銭として出金する出金部１２５Ａ〜Ｄとを、それぞれ含んで構成される。収納ケース１２１Ａ〜Ｄは、ホッパ１０４Ａ〜Ｄの上部に取り付けられる。出金部１２５Ａ〜Ｄは、収納ケース１２１Ａ〜Ｄの直下に取り付けられる。硬貨を放出する放出口１２６Ａ〜Ｄは、出金部１２５Ａ〜Ｄの側面部に設けられる。ホッパ１０４Ａ〜Ｄは、後述する施錠機構１０による扉９の施錠が外され開いているとき、フレーム８からそれぞれＹ方向（図３参照）に取り出すことができる。
【００５６】
収納ケース１２１Ａ〜Ｄは、上部に開口１２９Ａ〜Ｄを備え、第１入金シュート１５Ａ、Ｃを通って送られた循環硬貨、または第１入金シュート１５Ｂ、Ｄ及び第２入金シュート１０２Ｂ、Ｄを通って送られた循環硬貨を開口１２９Ａ〜Ｄからバラ積み状態にて収納する。
【００５７】
本実施の形態では、上側の各ホッパ１０４Ａ、Ｃの収納ケース１２１Ａ、Ｃ（１０円、１円硬貨用）は同じ容積とし、下側左のホッパ１０４Ｄの収納ケース１２１Ｄ（５００円硬貨用）が上側のホッパ１０４Ａ、１０４Ｃの収納ケース１２１Ａ、１２１Ｃより容量が小さく、下側右のホッパ１０４Ｂの収納ケース１２１Ｂ（１００円硬貨用）が上側のホッパ１０４Ａ、１０４Ｃの収納ケース１２１Ａ、１２１Ｃより大きい容積のものとしている。
【００５８】
出金部１２５Ａ〜Ｄは、収納した硬貨を放出する放出機構１３３（図４中、破線にて表示）、放出した硬貨を計数する不図示の計数手段、放出機構１３３を駆動する駆動手段としてのモータ１３４などを備え、収納ケース１２１Ａ〜Ｄ内の硬貨を出金時に、後述のように収納／出金部３のほぼ中央、すなわち第１接客壁１０１Ａと第１裏壁１０１Ｂ間のほぼ中央を鉛直下方向に通る出金シュート１１３に放出するものである。
【００５９】
出金部１２５Ａ〜Ｄには、硬貨を放出するため放出口１２６Ａ〜Ｄを奥行き方向を向くように設けてある。さらに放出口１２６Ａ〜Ｄと出金シュート１１３との間にある放出シュート１０９Ａ〜Ｄを放出口１２６Ａ〜Ｄの先に設ける必要がある。このためには、スペースが必要であり装置の奥行き方向の長さをこの分長くする必要がある。しかし、放出シュート１０９Ａ〜Ｄの上のスペースに、収納ケース１２１Ａ〜Ｄを張り出して、容積を大きくすることにより、収納ケース１２１Ａ〜Ｄが収納する硬貨の枚数を多くすることができる。
【００６０】
なお、前述のように第２入金シュート１０２Ｂを、第１接客壁１０１Ａと第１裏壁１０１Ｂ間のほぼ中央を鉛直下方向に通るよう配置し、第２入金シュート１０２Ｄを、第１接客壁１０１Ａに鉛直下方向に沿うよう配置した。すなわち、第２入金シュート１０２Ｂをホッパ１０４Ａとホッパ１０４Ｃとの間、ホッパ１０４Ｂとホッパ１０４Ｄとの間に配置し、第２入金シュート１０２Ｂを第１接客壁１０１Ａとホッパ１０４Ｃ、１０４Ｄとの間に配置した。
【００６１】
この配置は、すなわち、鉛直方向上下に整然と配置されたホッパ１０４Ａ、Ｂとホッパ１０４Ｃ、Ｄの間、あるいは鉛直方向上下に整然と配置されたホッパ１０４Ｃ、Ｄと鉛直に配置された第１接客壁１０１Ａの間を鉛直方向に通る配置であるので、収納／出金部３のスペースを有効に利用することができ、硬貨処理装置１を小型化することができる。
【００６２】
この配置により第２入金シュート１０２Ｂ、Ｄが、鉛直方向下側に向かうほぼ直線形状となっているので、第２入金シュート１０２Ｂ、Ｄ内での硬貨の詰まりを防止することができる。また、第１接客壁１０１Ａに沿って第２入金シュート１０２Ｄを配置したので、シュートの取付作業性を高めることができる。
【００６３】
出金シュート１１３は、収納／出金部３の、第１接客壁１０１Ａと第１裏壁１０１Ｂ間のほぼ中央に、ホッパ１０４Ａとホッパ１０４Ｃとの間、ホッパ１０４Ｂとホッパ１０４Ｄとの間に配置されている。出金シュート１１３は、さらに第２入金シュート１０２Ｂの図４中、左側に配置されている。出金部１２５Ａ〜Ｄの放出口１２６Ａ〜Ｄは第１接客壁１０１Ａ、第１裏壁１０１Ｂ間の中央面１０５を向いて配置されている。出金シュート１１３と、放出口１２６Ａ〜Ｄとの、間にはそれぞれ放出シュート１０９Ａ〜Ｄがあり、放出シュート１０９Ａ〜Ｄは、放出機構１３３から放出された硬貨を、出金シュート１１３に導いている。
【００６４】
第２入金シュート１０２Ｂと出金シュート１１３とを、収納／出金部３の、第１接客壁１０１Ａ、第１裏壁１０１Ｂ間の中央面１０５を向くよう配置し、互いに沿うように配置している。また、第２入金シュート１０２Ｂを出金シュート１１３の図４中、右側に配置し、さらに第２入金シュート１０２Ｂを、下側の段の右側のホッパ１０４Ｃに硬貨を放出するように配置した。よって、第２入金シュート１０２Ｂと出金シュート１１３とが互いに干渉せず、硬貨をほぼ鉛直方向下方に導く構成とすることができ、硬貨詰まりが生じにくい、第２入金シュート１０２Ｂと出金シュート１１３との分散配置を避けた単純な配置とすることができ、装置を小型化することができる。
【００６５】
また、放出口１２６Ａ〜Ｄを出金部１２５Ａ〜Ｄの、第１接客壁１０１Ａ、第１裏壁１０１Ｂ間の中央面１０５を向く側面部に設けたので、特に制限の厳しい装置の幅を、小さくすることができ、装置を小型化することができる。
【００６６】
出金シュート１１３は、出金一時保留部１１５に連結され、ホッパ１０４Ａ〜Ｄから放出された硬貨を出金一時保留部１１５に導く。放出口１２６Ａ〜Ｄが前述のように配置され、出金シュート１１３がフレーム８のほぼ中央すなわち第１接客壁１０１Ａ、第１裏壁１０１Ｂ間のほぼ中央を通るように配置されているので、放出シュート１０９Ａ〜Ｄが短ルートを通り整然と配置することができ、また放出シュート１０９Ａ〜Ｄを短くすることができ、装置を小型化することができる。
【００６７】
出金シュート１１３は、さらに第１入金シュート１５Ｅ、金庫部１１６に連結され、振分爪６０Ｅにより振り分けられ、第１入金シュート１５Ｅから放出された５円、５０円硬貨を金庫部１１６に導く。
【００６８】
出金シュート１１３の下流側の端部には、回収爪１１４が配置され、回収爪１１４は、出金シュート１１３から放出された硬貨を出金一時保留部１１５、または金庫部１１６に振り分ける。回収爪１１４は、出金時にホッパ１０４Ａ〜Ｄから放出された１０円、１００円、１円、５００円硬貨（循環硬貨）を出金一時保留部１１５に振り分け、入金時に第１入金シュート１５Ｅから出金シュート１１３へ放出された５円、５０円硬貨（非循環硬貨）を同じく出金一時保留部１１５に振り分ける。回収爪１１４は、利用者の入金取引により、ホッパ１０４Ａ〜Ｄの収納ケース１２１Ａ〜Ｄに収納された循環硬貨の満杯を検出したときに、放出機構１３３が作動して放出される１０円、１００円、１円、５００円硬貨を金庫部に振り分ける。
【００６９】
出金一時保留部１１５は、入金された非循環硬貨、ホッパ１０４Ａ〜Ｄより出金された循環硬貨を保留する保留部１４４と、保留部１４４の図４中、左右両端に取り付けられたシャッタ１３５、１３６と、保留部１４４の下側に取り付けられた第７搬送部１３７を含んで構成される。第７搬送部１３７は、プーリに掛けられた第７搬送ベルト１４０を含んで構成される。出金一時保留部１１５は、出金シュート１１３の下流の回収爪１１４と出金口１１７との間に設けられ、入金時に入金された非循環硬貨を入金が終了するまで第７搬送ベルト１４０上に一時保留する。また、出金一時保留部１１５は、出金時に、出金すべき全ての循環硬貨がホッパ１０４Ａ〜Ｄから放出されるまで循環硬貨を第７搬送ベルト１４０上に一時保留する。
【００７０】
金庫部１１６は、硬貨が出金シュート１１３からまたは出金一時保留部１１５から入り込む開口１４１を有する。また、金庫部１１６は、フレーム８の最下部に配置され、出金一時保留部１１５から搬送される非循環硬貨を回収し、さらに収納ケース１２１Ａ〜Ｄに収納された循環硬貨の満杯を検出したときに放出機構１３３が作動して、収納ケース１２１Ａ〜Ｄから出金シュート１１３に放出された循環硬貨を回収する。金庫部１１６は、施錠機構１０により扉９の施錠が外された場合に、フレーム８から側方（図３中Ｘ方向）に引き出すことができる。
【００７１】
出金口１１７は、フレーム８の図４中、左側の第１接客壁１０１Ａの下部に形成され、通常は利用者に対面するように配置される。出金口１１７には、ホッパ１０４Ａ〜Ｄから出金一時保留部１１５に放出された出金硬貨が出金一時保留部１１５からさらに放出される。また、出金口１１７には、リジェクト硬貨もリジェクトシュート１０８から放出される。
【００７２】
フレーム８の開口１４３の図４中、左側の縁には扉ヒンジ１４２が設けられ、扉ヒンジ１４２には扉９が取り付けられている。扉９は、ホッパ１０４Ａ〜Ｄ、出金シュート１１３、回収爪１１４、出金一時保留部１１５、第２入金シュート１０２Ｂ、Ｄ、リジェクトシュート１０８を覆うように構成されている。扉９を閉鎖することにより、開口１４３が閉じられる。
【００７３】
施錠機構１０は、フレーム８の図４中、右上に取り付けられ、施錠機構１０によって扉９に施錠がなされ、扉９が開かなくなり、ホッパ１０４Ａ〜Ｄ、金庫部１１６がそれぞれフレーム８から引き出せなくなる。施錠機構１０は、決められた係員が持つ鍵により施錠が外されて扉９が開けられ、ホッパ１０４Ａ〜Ｄ、金庫部１１６の引き出しが可能になる。硬貨処理装置１から引き出したフレーム８を、ホッパ１０４Ａ〜Ｄと金庫部１１６をフレーム８内に安全に閉じこめて、安全な場所に移し、ホッパ１０４Ａ〜Ｄおよび金庫部１１６からの硬貨の回収、ホッパ１０４Ａ〜Ｄへの硬貨の補充を安全に行うことができる。
【００７４】
よって、ホッパ１０４Ａ〜Ｄを従来の補充カセット、金庫部１１６とホッパ１０４Ａ〜Ｄとを従来の回収カセットとして安全に使用することができる。このようにすると硬貨の回収、補充作業を容易とすることができ、別個の補充カセット、回収カセット用のスペースをフレーム８内に設ける必要がないので、硬貨処理装置１を小型化することができる。
【００７５】
ホッパ１０４Ａ〜Ｄの収納ケース１２１Ａ〜Ｄの大きさの決め方について説明する。前述のように、収納ケース１２１Ａ〜Ｄには、それぞれ１０円、１００円、１円、５００円の硬貨が割り当てられている。このように金種が割り当てられた収納ケース１２１Ａ〜Ｄの大きさは、硬貨処理装置１が取り付けられる設置環境、使用環境を考慮して、入金される硬貨の金種毎の枚数を統計的に把握し、把握された枚数を基に硬貨の量（容積に換算した量）を求め、求められた硬貨の量にほぼ比例するように収納ケース１２１Ａ〜Ｄの容積が決められている。設置環境とは、金融端末機、自動販売機など硬貨処理装置が内蔵される機器が置かれる場所をいう。使用環境とは、前述の機器が使用される環境、例えばコンビニエンスストア、銀行、鉄道駅、遊戯場等、また例えば利用者に子供、女性が多い等の顧客の特質等をいう
【００７６】
硬貨処理装置１の設置環境、使用環境が変わり、仕様変更が必要となった場合は、新しい設置環境、使用環境において入金される硬貨の金種毎の枚数を統計的に把握し、把握された枚数を基に硬貨の量（容積に換算した量）を求め、求められた硬貨の量にほぼ比例するように収納ケース１２１Ａ〜Ｄの容積を決めるとよい。このようにすると収納／出金部３のスペースを有効に利用することができ、硬貨処理装置１を小型化することができる。
【００７７】
設置環境、使用環境の変更による仕様変更によりホッパ１０４Ａ、Ｂの収納枚数を変更する場合の具体的対応の仕方を説明する。変更前の設置、使用環境では、１００円硬貨の量が１０円硬貨の量より多いが、変更後の設置、使用環境では、統計的に１０円硬貨の量が１００円硬貨の量より多いため、１００円硬貨の収納をホッパ１０４Ｂからホッパ１０４Ａに、１０円硬貨の収納をホッパ１０４Ａからホッパ１０４Ｂに変更する場合で説明する。循環硬貨は１０円、１００円、１円、５００円で、変わらないものとする。なお、ホッパ１０４Ｂの収納ケース１２１Ｂの容量は、前述のようにホッパ１０４Ａの収納ケース１２１Ａの容量より大きいものとする。
【００７８】
まず、以下のように制御部７のプログラムを変更する。すなわち、入金時に識別部１３によって１００円硬貨が識別された場合は、振分爪６０Ａを作動し、収納ケース１２１Ａに導き、１０円硬貨が識別された場合は、振分爪６０Ｂを作動し、収納ケース１２１Ｂに導くようにする。また、出金時に１００円硬貨の出金が必要な場合は、収納ケース１２１Ａに対応する出金部１２５Ａを作動し、１０円硬貨の出金が必要な場合は、収納ケース１２１Ｂに対応する出金部１２５Ｂを作動するようにする。
【００７９】
但し、出金部１２５Ａ〜Ｄは、外形寸法は同じであるが、放出する硬貨の径の相違に起因する一部の内部部品の寸法が異なり、取り扱う硬貨の径に合わせて製作しているものがある。したがって、収納ケース１２１Ａの出金部１２５Ａと、収納ケース１２１Ｂの出金部１２５Ｂを互いに交換する必要がある。
【００８０】
次に、硬貨処理装置１の作用について説明する。硬貨処理装置１は、不図示の端末機に不図示のガイドレールを介して取り付けられているとする。
【００８１】
まず、準備金をセットするために以下の操作が行われる。すなわち係員が硬貨処理装置１を、不図示の端末機の不図示のガイドレール上を滑らせて、端末機から水平方向に引き出す。さらに収納／出金部３を収納するフレーム８を硬貨処理装置１のガイドレール５上を図４中、左方向に水平に滑らせて硬貨処理装置１の外部に引き出す。この際、ロック機構６を操作し、フレーム８のガイドレール５上のロック状態を解除することが必要である。フレーム８が硬貨処理装置１外部に出た後、フレーム８を鉛直方向上方に引き出し、収納／出金部ベース４から離す。
【００８２】
係員が施錠機構１０を鍵により解除し、扉９を開放する。収納／出金部３を収納するフレーム８から、各ホッパ１０４Ａ〜Ｄを引き出し、予め決められた所定の循環硬貨を対応するホッパ１０４Ａ〜Ｄに準備（収納）し、各ホッパ１０４Ａ〜Ｄを収納／出金部３のフレーム８に戻し、扉９を閉鎖する。フレーム８を収納／出金部ベース４に載せ、フレーム８を硬貨処理装置にセットし、さらに硬貨処理装置１を不図示の端末機にセットして、準備金セットが終了する。
【００８３】
次に、入金、収納、出金の動作について説明する。利用者は、硬貨処理装置１を内蔵する不図示の端末機の投入口から、硬貨を一枚ずつ投入する。投入口からの硬貨は、入金口１１から搬送部１２に搬送される。搬送部１２は投入された硬貨を、第２裏壁１０６Ｂに向かう方向（奥行き方向）に向けて一枚ずつ搬送し、識別部１３に搬送する。識別部１３は搬送された硬貨の真偽判定と金種の識別を行い、制御部７にそれらの信号を出力する。搬送部１２は硬貨を識別部１３から、さらに奥行き方向に搬送する。そして硬貨は、折り返されて方向を転換し、第２接客壁１０６Ａに向かう逆の奥行き方向にさらに搬送され、振分部１４に搬送される。
【００８４】
振分部１４は、奥行き方向に一列に配置されている振分爪６０Ａ〜Ｆを有するので、振分部１４は、硬貨を、奥行き方向に搬送する搬送路を形成する。硬貨が振分部１４によって奥行き方向に搬送されている間に、識別部１３の識別結果に基づいた制御部７からの信号により振分爪６０Ａ〜Ｅが不図示の振分爪駆動手段により回動されて開く。開いた振分爪６０Ａ〜Ｅは、各第１入金シュート１５Ａ〜Ｅへ硬貨を落下させて振り分ける。識別部１３によって正貨と判定されず、かつ金種の判定がなされないため、いずれの振分爪６０Ａ〜Ｅも作動せず振り分けられなかった硬貨等はガイドシュート１６に導かれる。
【００８５】
入金が１０円硬貨の場合は、振分爪６０Ａが、振分爪６０Ａを駆動するように構成された不図示の振分爪駆動手段により駆動されて回動し、１０円硬貨を第１入金シュート１５Ａへ導く。入金が１００円硬貨の場合は、振分爪６０Ｂが、振分爪６０Ａと同様に作動し、第１入金シュート１５Ｂへ導く。１円硬貨、５００円硬貨の場合は、振分爪６０Ｃ、Ｄが、同様に作動し、それぞれ第１入金シュート１５Ｃ、Ｄへ導く。５円、５０円硬貨は、振分爪６０Ｅが同様に作動し、第１入金シュート１５Ｅから出金シュート１１３へ導く。振り分けのタイミング、すなわち振分爪６０Ａ〜Ｅを作動させるタイミングは、搬送部１２の不図示の適宜な場所に設けられる不図示の振分検出手段であるセンサにより硬貨を検出して検出信号を制御部７に送り、制御部７により適宜なタイミングで振分爪６０Ａ〜Ｅを作動させることにより行われる。
【００８６】
第１入金シュート１５Ａ〜Ｅ、ガイドシュート１６へ導かれた硬貨は、それぞれ第１入金シュート１５Ａ〜Ｅ、ガイドシュート１６に取り付けられた振分計数手段６１により計数され、計数データが入金データ、リジェクトデータとして制御部７に送られる。
【００８７】
第１入金シュート１５Ａ、Ｃに導かれた１０円、１円硬貨は、それそれ対応するホッパ１０４Ａ、Ｃの収納ケース１２１Ａ、Ｃに直接収納される。第１入金シュート１５Ｂ、Ｄに導かれた１００円、５００円硬貨は、それぞれ第２入金シュート１０２Ｂ、Ｄを経由して、対応するホッパ１０４Ｂ、Ｄの収納ケース１２１Ｂ、Ｄに収納される。第１入金シュート１５Ｅから出金シュート１１３に導かれた５円、５０円硬貨は、回収爪１１４によって出金一時保留部１１５に導かれ、出金一時保留部１１５に一時保留される。
【００８８】
利用者が入金すべき硬貨を全て入金した後、利用者は、入金確定操作、すなわち不図示の端末機の確認ボタンの操作を行う。入金確定操作が行われると、図４中、出金一時保留部１１５の右側のシャッタ１３６を閉から開とし、第７搬送部１３７を、硬貨を図４中、右に搬送するように作動させ、出金一時保留部１１５に一時保留されていた５円、５０円硬貨を金庫部１１６に回収して、入金動作が終了する。入金確定操作により、制御部７において入金金額と取引金額の比較が行われ、出金（釣銭）が必要な場合、出金部１２５Ａ〜Ｄの放出機構１３３を作動させ、出金すべき硬貨を収納ケース１２１Ａ〜Ｄから、放出シュート１０９Ａ〜Ｄを経て出金シュート１１３へ放出する（出金動作）。
【００８９】
出金シュート１１３へ放出された硬貨は、出金一時保留部１１５に一時保留される。このとき出金部１２５Ａ〜Ｄから過剰放出があった場合には、出金一時保留部１１５の硬貨は金庫部１１６に回収されて、再びホッパ１０４Ａ〜Ｄから出金金額の硬貨の放出が行われる。全ての出金硬貨が出金一時保留部１１５に出金されると、図４中、左側のシャッタ１３５を閉から開とし、第７搬送部１３７を、硬貨を図４中、左に搬送するように作動させ、その一時保留した出金硬貨を出金口１１７に放出する。
【００９０】
ガイドシュート１６へ導かれた硬貨は、ガイドシュート１６にガイドされて一旦奥行き方向に移動しながら下方に落下し、さらに第２接客壁１０６Ａに沿って幅方向に移動しながら落下する。ガイドシュート１６を出た硬貨は、リジェクトシュート１０８内を下方に落下し、その下方に設けられている出金口１１７に放出され、リジェクト動作が終了する。
【００９１】
入金確定操作が行われる前に利用者により、例えば不図示の取消ボタンが押され、取引の取消がなされた場合は、出金一時保留部１１５に一時保留されている非循環硬貨（５円、５０円硬貨）を出金口１１７に放出する。続けて、すでにホッパ１０４Ａ〜Ｄの収納ケース１２１Ａ〜Ｄに収納されている循環硬貨を、入金された金種と金種毎の枚数を合わせて出金動作により放出し、出金一時保留部１１５に一時保留する。全ての返却すべき硬貨が出金一時保留部１１５に放出されると、出金一時保留部１１５内の硬貨が全て出金口１１７に放出し、返却動作が終了する。
【００９２】
利用者が入金動作を継続している間にいずれかの金種の収納ケース１２１Ａ〜Ｄが満杯となり、硬貨を収納することができない場合に対処するために、以下のように収納ケース１２１Ａ〜Ｄ内の硬貨が回収される。すなわち、収納ケース１２１Ａ〜Ｄ内の硬貨枚数は制御部７により識別部１３から送られるデータを基に管理されており、また各収納ケース１２１Ａ〜Ｄにはそれぞれ不図示の満杯検出手段が設けられている。
【００９３】
入金、収納、出金の動作後、いずれかの収納ケース１２１Ａ〜Ｄ内の硬貨が所定の枚数に達し、満杯検出手段が作動した場合、または制御部７に記録されている硬貨の枚数が所定の枚数に達した場合、入金中の利用者に対処した後、装置を一旦中止とし、次の利用者の入金を受け付けないようにする。満杯となったホッパ１０４Ａ〜Ｄの出金部１２５Ａ〜Ｄの放出機構１３３を作動させ、所定の枚数の硬貨を出金シュート１１３へ放出し、回収爪１１４を作動させ、金庫部１１６へ回収する。回収動作の終了後、装置は自動的に復帰する。
【００９４】
決められた日時に行われる集計作業に伴う回収について説明する。集計作業とは、取引により得られた硬貨を確認し集計することである。まず、係員は前述したように硬貨処理装置１を不図示の端末機から引き出して（図２参照）、収納／出金ベース４から離し、施錠機構１０の鍵を解除して扉９を開放する（図３参照）。その後、フレーム８から各ホッパ１０４Ａ〜Ｄと金庫部１１６とを引き出し、各ホッパ１０４Ａ〜Ｄと金庫部１１６とに収納されている硬貨を回収する。なお、集計作業が終了した硬貨処理装置１を用いて続けて端末機を作動させるためには、前述した準備金セットからの作業を行う。
【００９５】
【発明の効果】
以上にように本発明によれば、ホッパと金庫部とを収納する収納室と、扉と、施錠機構と備え、施錠機構の施錠を外して扉を開け、ホッパと金庫部とが収納室から着脱可能であるよう構成されるので、準備段階で補充すべき循環硬貨をホッパに補充してホッパを補充カセットとして使用し、装置の運転終了後に回収すべき非循環硬貨を金庫部に回収し、金庫部を回収カセットとして使用することができ、硬貨の回収、補充作業を容易なものとすることができる。
【００９６】
また、硬貨を補充するための別個の補充カセット、硬貨を回収するための別個の回収カセットが不要となるので、装置を小型化することができる。また、収納室を塞ぐ扉を施錠機構によって施錠することができるので、収納室内のホッパに収納され、収納室内の金庫部に回収された硬貨を安全に保管することができ硬貨管理を確実に行うことができる。
【図面の簡単な説明】
【図１】本発明の実施の形態に係る硬貨処理装置の主要構成を示すブロック図である。
【図２】フレームを引き出した、図１の硬貨処理装置のブロック図である。
【図３】図１の硬貨処理装置のフレームの主要構成を示すブロック図である。
【図４】本発明の実施の形態に係る硬貨処理装置の側面断面図である。
【図５】（Ａ）は、図４の硬貨処理装置のガイドシュート部分の正面図であり、（Ｂ）は、側面図である。
【符号の説明】
１  硬貨処理装置
２  入金処理部
３  収納／出金部
４  収納／出金部ベース
５  ガイドレール
６  ロック機構
７  制御部
８  フレーム
９  扉
１０  施錠機構
１１  入金口
１２  搬送部
１３  識別部
１４  振分部
１５Ａ〜Ｅ  第１入金シュート
１６  ガイドシュート
６０Ａ〜Ｆ  振分爪
６１  振分計数手段
１０１Ａ  第１接客壁
１０１Ｂ  第１裏壁
１０２Ｂ、Ｄ  第２入金シュート
１０３  入金処理部側壁
１０４Ａ〜Ｄ  ホッパ
１０５  中央面
１０６Ａ  第２接客壁
１０６Ｂ  第２裏壁
１０７  フレーム側壁
１０８  リジェクトシュート
１０９Ａ〜Ｄ  放出シュート
１１３  出金シュート
１１４  回収爪
１１５  出金一時保留部
１１６  金庫部
１１７  出金口
１２１Ａ〜Ｄ  収納ケース
１２５Ａ〜Ｄ  出金部
１２６Ａ〜Ｄ  放出口
１２９Ａ〜Ｄ  開口
１３３  放出機構
１４１  開口
１４２  扉ヒンジ
１４３  開口
【図１】
0004689857.tif 000002
【図２】
0004689857.tif 000003
【図３】
0004689857.tif 000004
【図４】
0004689857.tif 000005
【図５】
0004689857.tif 000006